(57)【要約】【課題】弾球遊技機において、下皿がファール球及び溢球を含む遊技球で満杯になったことを確実に検出可能とする。【解決手段】発射装置９により発射されたにも関わらず遊技領域５１に到達することなく戻ってきたファール球Ｂ２は、ファール球通路１８により誘導され、溢球通路１７における満杯検出スイッチ２３よりも上流側の合流位置へ誘導されて溢球Ｂ１と同一経路を辿って下皿１４に導出される。これにより、下皿１４が溢球Ｂ１及びファール球Ｂ２を含む遊技球Ｂで満杯になったことを、満杯検出スイッチ２３により確実に検出することが可能となる。【選択図】図７
2014083341.tif 000002
【特許請求の範囲】
【請求項１】
遊技領域に遊技球を発射することによって所定の遊技が行われるようにした弾球遊技機において、
遊技球を払い出す払出装置と、
前記払出装置から払い出された遊技球を貯留する上皿と、
前記上皿から供給される遊技球を前記遊技領域に向けて発射する発射装置と、
前記上皿が遊技球で満杯となったときその溢球を受け入れる下皿と、
前記溢球を前記下皿へ案内する溢球通路と、
前記溢球通路に設けられ、前記下皿に遊技球が満杯であることを検出する満杯検出スイッチと、
前記発射装置により発射されたにも関わらず前記遊技領域に到達することなく戻ってきたファール球を前記溢球通路における前記満杯検出スイッチよりも上流側の合流位置へ誘導可能なファール球通路とを備えることを特徴とする弾球遊技機。
【請求項２】
前記ファール球通路は、前記ファール球がＵターン状に折り返すファール球Ｕターン通路と、当該ファール球Ｕターン通路へ前記ファール球を導くファール球導入通路と、前記ファール球Ｕターン通路を通過した前記ファール球を前記合流位置まで導くファール球導出通路とを有することを特徴とする請求項１記載の弾球遊技機。
【請求項３】
前記ファール球通路に、前記ファール球の発射路への流入を阻止する阻止部を設けたことを特徴とする請求項１または２記載の弾球遊技機。
【発明の詳細な説明】
【技術分野】
【０００１】
本発明は、遊技領域に遊技球を発射することによって所定の遊技が行われるようにした弾球遊技機に関する。
【背景技術】
【０００２】
弾球遊技機（パチンコ機）においては、遊技者が発射ハンドルを操作することによって発射装置を作動させて遊技盤の遊技領域に遊技球を打ち込み、当該打ち込んだ遊技球が遊技領域に設けた入賞口、大入賞口等に入賞することにより、所定量の遊技球が前面に設けられた上皿に払い出される。そして、大量の遊技球が払い出されて上皿が満杯になった場合には、払い出された遊技球のうち上皿から溢れた溢球は、溢球通路を通って上皿の下方に設けられた下皿に導出される。また、下皿には、溢球の他、発射装置によって発射されたにも関わらず遊技領域に辿り着くことなく途中で戻ってきたファール球もファール球通路を通って導出される。
下皿が遊技球で満杯になった場合には、溢球通路に設けた満杯検出スイッチにより満杯が検出されて、遊技球が満杯になった旨を音声等で遊技者に対して報知する（例えば、特許文献１参照）。
【先行技術文献】
【特許文献】
【０００３】
【特許文献１】特開２００６−１９８１９１号公報
【発明の概要】
【発明が解決しようとする課題】
【０００４】
しかし、上記特許文献１記載の弾球遊技機においては、ファール球を満杯検出スイッチよりも下流側の合流位置で溢球通路に合流させた構造であるため、ファール球が多数発生して、ファール球通路と溢球通路との合流位置に、ファール球が不規則な球積み状態となって球詰まり状態が発生すると、当該状態発生後、満杯検出スイッチによるファール球の検出が不能となり、ファール球通路の球詰まり及び下皿が溢球及びファール球を含む遊技球で満杯になったことを検出することができなくなる問題点を有する。
【０００５】
本発明は、かかる課題に鑑みなされたものであって、下皿がファール球及び溢球を含む遊技球で満杯になったことを確実に検出可能とした弾球遊技機を提供することを目的とする。
【課題を解決するための手段】
【０００６】
本発明によると、上記課題は、次のようにして解決される。
第１の発明は、遊技領域に遊技球を発射することによって所定の遊技が行われるようにした弾球遊技機において、遊技球を払い出す払出装置と、前記払出装置から払い出された遊技球を貯留する上皿と、前記上皿から供給される遊技球を前記遊技領域に向けて発射する発射装置と、前記上皿が遊技球で満杯となったときその溢球を受け入れる下皿と、前記溢球を前記下皿へ案内する溢球通路と、前記溢球通路に設けられ、前記下皿に遊技球が満杯であることを検出する満杯検出スイッチと、前記発射装置により発射されたにも関わらず前記遊技領域に到達することなく戻ってきたファール球を前記溢球通路における前記満杯検出スイッチよりも上流側の合流位置へ誘導可能なファール球通路とを備えることを特徴とする。
【０００７】
上記構成により、前記ファール球は、前記ファール球通路により前記満杯検出スイッチよりも上流側の前記合流位置に誘導された後、前記溢球と同一経路を辿って前記下皿に導出される。この結果、前記下皿が前記溢球及び前記ファール球を含む遊技球で満杯になったことを、前記満杯検出スイッチにより確実に検出することが可能となる。
【０００８】
さらに、前記ファール球通路は、前記ファール球がＵターン状に折り返すファール球Ｕターン通路と、当該ファール球Ｕターン通路へ前記ファール球を導くファール球導入通路と、前記ファール球Ｕターン通路を通過した前記ファール球を前記合流位置まで導くファール球導出通路とを有するものとする。
【０００９】
さらに、前記ファール球案内通路に、前記ファール球の発射路への流入を阻止する阻止部を設ける。
【発明の効果】
【００１０】
本発明によると、ファール球を溢球通路における満杯検出スイッチよりも上流側の合流位置へ誘導可能としたことによって、下皿が溢球及びファール球を含む遊技球で満杯になったことを、満杯検出スイッチにより確実に検出することができ、ファール球通路の球詰まりを防止することができる。
【図面の簡単な説明】
【００１１】
【図１】本発明における実施形態を適用した弾球遊技機を左斜め前方から見た斜視図である。
【図２】同じく右斜め前方から見た外枠及び内枠の斜視図である。
【図３】同じく遊技盤の正面図である。
【図４】同じく右斜め前方から見た外枠及び内枠の下部の斜視図である。
【図５】同じく外枠及び内枠の下部の正面図である。
【図６】同じく要部の拡大正面図である。
【図７】同じく右斜め前方から見た要部の斜視図である。
【図８】図５におけるVIII−VIII線横断面図である。
【図９】図５におけるIX−IX線横断面図である。
【図１０】図６におけるＸ部の拡大正面図である。
【発明を実施するための形態】
【００１２】
以下、本発明の一実施形態を図面に基づいて説明する。
図１に示すように、弾球遊技機１は、外郭を形成してパチンコホールの島設備に設置される矩形枠状の外枠２と、外枠２の左上下部に上下のヒンジ３、３により鉛直軸回りに枢支され前後方向へ開閉可能な合成樹脂または金属等で形成される図２に示す内枠４と、内枠４に着脱可能に取り付けられる図３に示す遊技盤５と、内枠４の左上下部に上下のヒンジ６、６により鉛直軸回りに枢支され前後方向へ開閉可能で、かつ内側に遊技盤５の盤面（前面）を前側から透視可能に覆うガラス板７１が嵌め込まれた前扉７とを備える。
【００１３】
図３に示すように、遊技盤５の盤面には、内側のガイドレール５２及び外側のガイドレール５３によって包囲されるほぼ円形の遊技領域５１が形成される。遊技領域５１には、内枠４の下部前面に取り付けられる後述の発射装置９により遊技領域５１に打ち込まれる遊技球の流下方向を変化させる多数の遊技釘５８と、遊技領域５１に打ち込まれた遊技球が入賞可能な始動口５４と、複数列の図柄を変動表示可能な例えば液晶ディスプレイからなる演出表示器５５と、遊技者にとって不利な第１状態（遊技球が入賞不能な閉鎖状態）と遊技者にとって有利な第２状態（遊技球が入賞可能な開放状態）とに変化可能な大入賞口５６と、遊技領域５１に打ち込まれた遊技球のうち始動口５４、大入賞口５６等に入賞しなかったアウト球を遊技盤５の裏面側に送り出すアウト口５７が設けられる。
【００１４】
前扉７の左右両側には、遊技の状況に応じて点灯、消灯及び点滅して照明による演出を行う複数の光源を内蔵した照明部１１Ｌ、１１Ｒが設けられ、また、同じく左右上部には、遊技の状況に応じた効果音を出力するスピーカ１２Ｌ、１２Ｒが設けられる。さらに、前扉７の前面下部には、球払出装置１０から払い出される遊技球を貯留して発射装置９へ供給可能な上皿１３と、上皿１３の真下にあって、上皿１３が遊技球で満杯となったときその溢球を受け入れて貯留するための下皿１４が設けられる。
【００１５】
図１に示すように、上皿１３は、貯留される遊技球が正面視で右方向へ転動するように、底面が左側から右側へ向けて下り傾斜すると共に、上皿１３の底面には、上皿１３に貯留される遊技球を１列に整列して発射装置９の近傍に設けられる発射路２６へ誘導するための整列通路１３２が設けられる。さらに、上皿１３の奥面左部には、球払出装置１０から払い出される貸し球や賞球等の遊技球を導入するための導入口１３１が設けられる。
【００１６】
下皿１４の奥面には、上皿１３が遊技球で満杯になったときの溢球を導入するための導入口１４１が設けられる。さらに、下皿１４の底面には、下皿１４の前面に設けられるスライドレバー１４２をスライド操作することにより開放して下皿１４に貯留されている遊技球を排出するための球抜き孔１４３が設けられる。
【００１７】
前扉７の前面右下部には、発射装置９と電気的に接続されて打球の発射力を調整するための発射ハンドル１５の握り部位に設けられたハンドルリング１５１が前後方向水平軸回りに回転可能に設けられる。
【００１８】
内枠４の下部には、図８に横断面図で示すように、内枠４の左側部に配置される球払出装置１０から払い出される貸し球や賞球等の遊技球Ｂを上皿１３へ誘導する上皿通路１６と、上皿通路１６の後側にあって、上皿１３及び上皿通路１６が遊技球Ｂで満杯なったときの遊技球Ｂのうちオーバーフローした溢球Ｂ１を一時的に若干量滞留可能なオーバーフロー部２０と、オーバーフロー部２０の右横にあって、溢球Ｂ１を下皿１４へ誘導する溢球通路１７と、主に図６に正面視で示すように、発射装置９から発射される遊技球Ｂを遊技領域５１へ向けて誘導するように左斜め上方を向く発射路２６と、発射装置９により発射された遊技球Ｂのうち遊技領域５１に到達することなく戻ってきたファール球Ｂ２を溢球通路１７の上流側（後述の上流通路１７２）に向けて誘導可能なファール球通路１８と、始動口５４、大入賞口５６等に入賞して遊技盤５の背面に導かれた入賞球（遊技球）及びアウト口５６を通過して遊技盤５の背面に導かれたアウト球（遊技球）を受け入れて弾球遊技機１外に導出するための図２、４に示す回収通路１９が形成される。
【００１９】
図８に示すように、上皿通路１６は、球払出装置１０から払い出される貸し球や賞球等の遊技球Ｂを前方へ誘導し得るように若干前下り傾斜すると共に、前扉７を閉じた状態において前端部の導出口１６１が上皿１３の導入口１３１に連通することによって遊技球Ｂの上皿１３への導出を可能にする。
【００２０】
溢球通路１７は、図８に示すように上端部の導入部１７４がオーバーフロー部２０に繋がり、溢球Ｂ１を導入する前下り急勾配の上流通路１７２と、図６、７に示すように上流通路１７２の下部に繋がり、溢球Ｂ１を右方へ誘導する右下り傾斜の下流通路１７３とを有し、前扉７を閉じた状態において、下流通路１７３の右端下部に設けられる導出口１７１が下皿１４の導入口１４１に連通することによって、溢球Ｂ１の下皿１４への導出を可能にする。
【００２１】
図６、７に示すように、溢球通路１７の下流通路１７３の左端、すなわち上流通路１７２よりも下流側には、前後方向の軸２１により左右方向へ揺動可能に枢支される検出レバー２２と、検出レバー２２の左側に配置され、検出レバー２２の揺動を検出可能な有接点式の満杯検出スイッチ２３とが設けられる。
【００２２】
なお、上皿通路１６、溢球通路１７、ファール球通路１８、検出レバー２２及び満杯検出スイッチ２２の前面は、図２、４、５に示すように、上皿通路１６の導出口１６１及び溢球通路１７の導出口１７１を残して透明なカバー２４により覆われる。よって、上皿通路１６、溢球通路１７、ファール球通路１８、検出レバー２２及び満杯検出スイッチ２２は、図２、４、５には明示されないが、これらについては、図６、７、１０においてカバー２４、２５を省略することで明示している。
【００２３】
図６に示すように、下皿１４及び溢球通路１７の下流通路１７３（満杯検出スイッチ２３よりも下流側）が溢球Ｂ１及びファール球Ｂ２を含む遊技球Ｂで満杯になると、下流通路１７３に滞留する遊技球Ｂが検出レバー２２の右側面に当接することによって、検出レバー２２は左方へ所定角度押し込まれる。これにより、満杯検出スイッチ２３は、ＯＦＦ状態からＯＮ状態に切り替わり、当該切り替わりのＯＮ信号を制御部に送信する。制御部は、満杯検出スイッチ２３からのＯＮ信号を所定時間継続して受信した場合には下皿１４に遊技球Ｂが満杯状態であると判断し、下皿１４が満杯である旨を遊技者に対して音声等で報知する。
【００２４】
図６、７、９、１０に示すように、ファール球通路１８は、発射路２６の前方に位置する前下り傾斜のファール球通路上段部１８１と、ファール球通路上段部１８１の前側下方にあって、ファール球Ｂ２を右方へ誘導するように右下り傾斜のファール球導入通路１８２と、ファール球導入通路１８２により右方へ誘導されたファール球Ｂ２を左方へＵターン状に折り返させるファール球Ｕターン通路１８３と、ファール球導入通路１８２の後側にあって、ファール球Ｕターン通路１８３を通過したファール球Ｂ２を溢球通路１７における上流通路１７２の右側面、すなわち満杯検出スイッチ２３よりも上流側に位置する合流部１８５まで誘導する左下り傾斜のファール球導出通路１８４（特に、図９に明示）とを有する。なお、合流部１８５の開口幅は、ファール球Ｂ２を１個ずつ溢球通路１７の上流通路１７２に導出可能な大きさに設定される。
【００２５】
上述のようにファール球通路１８を構成することによって、ファール球Ｂ２は、溢球通路１７における満杯検出スイッチ２２よりも上流側へ誘導される。これにより、満杯検出スイッチ２２によるファール球Ｂ２の検出が可能とする。さらには、ファール球通路１８は、ファール球Ｕターン通路１８３を有して屈曲しているため、例えば、針金等の不正細棒を下皿１４の導入口１４１等に差し込んでファール球通路１８を通して遊技領域５１に不正に侵入させるような不正行為を防止することができる。
【００２６】
ファール球通路１８におけるファール球通路上段部１８１上には、ファール球通路上段部１８１の底面よりも隆起し、かつ左側面に左下り急勾配の傾斜面２７１を形成した阻止部２７が設けられる。阻止部２７は、発射装置９から発射されたにも関わらずファール球通路上段部１８１上に落下したファール球Ｂ２を傾斜面２７１に衝突させることで、ファール球Ｂ２の右方、すなわち発射路２６へ向けての転動を抑止して、ファール球Ｂ２の発射路２６への流入を阻止する。
【００２７】
ファール球通路上段部１８１に落下したファール球Ｂ２は、ファール球導入通路１８２に落下して、ファール球導入通路１８２によりファール球Ｕターン通路１８３へ誘導される。ファール球Ｕターン通路１８３へ誘導されたファール球Ｂ２は、図９に示すようにＵターン状に折り返してファール球導出通路１８４により合流部１８５へ向けて誘導される。合流部１８５に誘導されたファール球Ｂ２は、満杯検出スイッチ２３よりも上流側に位置する合流部１８５から溢球通路１７における前下り急勾配の上流通路１７２、すなわち合流位置へ導出される。上流通路１７２に導出されたファール球Ｂ２は、オーバーフロー部２０から流下してくる溢球Ｂ１と合流可能な状態で、溢球通路１７の下流通路１７３に誘導されて導出口１７１から下皿１４に導出される。
【００２８】
次に、本実施形態の作用について説明する。
ハンドルリング１５１を操作して、遊技領域５１に打ち込まれた遊技球Ｂが始動口５４に入賞し、これを契機に内枠４の裏面側に取り付けられる制御部（図示略）によって所定の確率に基づいて実行される抽選の結果、大当りとなって演出表示器５５に変動表示されている複数列の図柄が所定の組合せで停止して大当りに確定表示された場合（例えば、複数列に同一の図柄が揃った場合）には、大当り状態を生起させて、大入賞口５６を第１状態から第２状態に変化させる。大当り状態のときには、第２状態にある大入賞口５６に多数の遊技球Ｂが入賞可能となり、球払出装置１０から賞球として大量の遊技球Ｂが払い出される。
【００２９】
球払出装置１０から払い出された遊技球Ｂは、上皿１３が満杯でなければ、図８に矢印ａで示す方向へ転動して、オーバーフロー部２０、上皿通路１６、導出口１６１を通って上皿１３の導入口１３１から上皿１３に導出される。そして、上皿１３及び上皿通路１６が遊技球Ｂで満杯になるとオーバーフロー部２０に溢れた溢球Ｂ２は、溢球通路１７の導入部１７４から上流通路１７２に進入して図７〜９に矢印ｂで示す方向へ流下して下流通路１７３に誘導される。下流通路１７３に誘導された溢球Ｂ２は、図７に矢印ｃで示すように右方向へ転動したあと導出口１７１から下皿１４に導出される。
【００３０】
さらに、球払出装置１０から遊技球Ｂが払い出されて、下皿１４及び溢球通路１７の下流通路１７３が溢球Ｂ１を含む遊技球Ｂで満杯になると、図６に示すように、溢球Ｂ１は、検出レバー２２を左方へ押し込むように検出レバー２２の右側面に当接する。満タン検出スイッチ２３は、検出レバー２２が左方へ押し込まれたことを検出してＯＮ状態となる。そして、満タン検出スイッチ２３のＯＮ状態が所定時間継続すると、制御部は、満タン検出スイッチ２３のＯＮ信号が所定時間継続したことに基づいて、下皿１４に溢球Ｂ１を含む遊技球Ｂが満杯になったものと判断して、下皿１４が満杯である旨を遊技者に対して音声等で報知する。
【００３１】
球抜きの報知に基づいて、遊技者がスライドレバー１４２をスライド操作して、球抜き孔１４３を開放すると、下皿１４に貯留されていた遊技球Ｂは、球抜き孔１４３から排出される。
【００３２】
下皿１４内の遊技球Ｂが排出されると、これに伴って、溢球通路１７の下流通路１７３に滞留している遊技球Ｂが減少することによって、遊技球Ｂが検出レバー２２から離れて、検出レバー２２が弾性力をもって検出位置から非検出位置に復帰し、満タン検出スイッチ２３は、ＯＮ状態からＯＦＦ状態に切り替わり、制御部は、これを契機に球抜き報知の制御を停止する。
【００３３】
次に、ファール球Ｂ２について説明する。発射装置９により遊技球Ｂが発射されたにも関わらず、発射力が弱すぎる等して遊技領域５１に到達することなく戻ってきたファール球Ｂ２は、ファール球通路１８のファール球通路上段部１８１またはファール球導入通路１８２上に落下する。
【００３４】
ファール球通路上段部１８１上に落下したファール球Ｂ２は、阻止部２７の傾斜面２７１に衝突し、図１０に矢印ｄで示すように、左方へ跳ね返った後、ファール球導入通路１８２上に落下してファール球Ｕターン通路１８３へ向けて誘導される。これにより、ファール球Ｂ２が発射路２６に進入することを確実に阻止することが可能となる。
【００３５】
ファール球Ｕターン通路１８３へ向けて誘導されたファール球Ｂ２は、図９に矢印ｅで示すように、ファール球Ｕターン通路１８３でＵターン状に折り返して、ファール球導出通路１８４により合流部１８５へ向けて誘導され、溢球通路１７の前下り急勾配の上流通路１７２の合流位置である側面に導出される。この場合、ファール球Ｂ２が多数発生しても、ファール球Ｂ２は、ファール球導入通路１８２によって一列に整列された状態で、ファール球Ｕターン通路１８３、ファール球導出通路１８４を通過して合流部１８５から１個ずつ溢球通路の１７の上流通路１７２に導出されるため、合流位置での球詰まりを抑えることができる。さらには、ファール球Ｂ２は、溢球通路１７における前下り急勾配の上流通路１７２に導出されるため、合流位置に流下した溢球Ｂ１及びファール球Ｂ２は、強制的に下流へ向けて誘導されるため、溢球Ｂ１及びファール球Ｂ２が不規則な球積み状態となるような球詰まりを防止することが可能となる。
【００３６】
合流部１８５から溢球通路１７の上流通路１７２に導出されたファール球Ｂ２は、下流通路１７３へ向けて流下し、検出レバー２２及び満杯検出スイッチ２３の側方を通って溢球Ｂ１の流下経路と同一経路を辿って下皿１４に導出される。これにより、例えば、下皿１４が溢球Ｂ２を含む遊技球Ｂで満杯に近い状態において、ファール球Ｂ２が多数発生した場合であっても、ファール球Ｂ２は、検出レバー２２及び満杯検出スイッチ２３よりも上流側から流下してくるため、満杯検出スイッチ２３は、溢球通路１７の下流通路１７３がファール球Ｂ２で満杯になったことを検出することが可能となる。
【００３７】
以上、本発明の実施形態について説明したが、本発明の要旨を逸脱しない範囲内で、上記実施形態に対して、次のような変形や変更を施すことが可能である。
（ｉ）満タン検出スイッチ１６を有接点式のスイッチに代えて、無接点式のスイッチとする。
（ii）満杯検出スイッチ２２が溢球通路１７の下流通路１７３に溢球Ｂ１及びファール球Ｂ２を含む遊技球Ｂで満杯になったことを検出した場合、制御部は、発射装置９による遊技球Ｂの発射動作を停止させる制御を実行するようにする。このようにすると、ファール球Ｂ２が多数発生したとしても、ファール球Ｂ２がファール球通路１８に球詰まりすることを確実に防止することができる。
【符号の説明】
【００３８】
１  弾球遊技機
２  外枠
３  ヒンジ
４  内枠
５  遊技盤
６  ヒンジ
７  前扉
９  発射装置
１０  球払出装置
１１Ｌ、１１Ｒ  照明部
１２Ｌ、１２Ｒ  スピーカ
１３  上皿
１４  下皿
１５  発射ハンドル
１６  上皿通路
１７  溢球通路
１８  ファール球通路
１９  回収通路
２０  オーバーフロー部
２１  軸
２２  検出レバー
２３  満杯検出スイッチ
２４  カバー
２６  発射路
２７  阻止部
５１  遊技領域
５２、５３  ガイドレール
５４  始動口
５５  演出表示器
５６  大入賞口
５７  アウト口
５８  遊技釘
７１  ガラス板
１３１  導入口
１３２  整列通路
１４１  導入口
１４２  スライドレバー
１４３  球抜き孔
１５１  ハンドルリング
１６１  導出口
１７１  導出口
１７２  上流通路
１７３  下流通路
１７４  導入部
１８１  ファール球通路上段部
１８２  ファール球導入通路
１８３  ファール球Ｕターン通路
１８４  ファール球導出通路
１８５  合流部
２７１  傾斜面
【図１】
2014083341.tif 000003
【図２】
2014083341.tif 000004
【図３】
2014083341.tif 000005
【図４】
2014083341.tif 000006
【図５】
2014083341.tif 000007
【図６】
2014083341.tif 000008
【図７】
2014083341.tif 000009
【図８】
2014083341.tif 000010
【図９】
2014083341.tif 000011
【図１０】
2014083341.tif 000012